(57)【要約】【課題】家庭等においてブロック状の食パンを容易に複数種類の厚さにスライスすることが可能な食パンスライス補助具を提供する。【解決手段】食パンスライス補助具１に、外形が四角形で食パンを載置するためのベース板１１と、ベース板１１の一対の側辺から夫々互いに対向して帯板状に上方へ延出していると共に、側辺の延びる方向へナイフを挿入するための隙間をあけて設けられている立設片１３の複数対と、立設片１３の複数対のうち、ある対と隣接している対との間に形成されている隙間に挿入されており、一方の面に食パンを当接させる平板状の当板２０とを具備させ、対をなす立設片１３を、同一の幅長さとし、幅長さの異なる立設片１３の対を複数種類設ける。【選択図】図１
0003223964.tif 000002
【実用新案登録請求の範囲】
【請求項１】
外形が四角形で食パンを載置するためのベース板と、
該ベース板の一対の側辺から夫々互いに対向して帯板状に上方へ延出していると共に、該側辺の延びる方向へナイフを挿入するための隙間をあけて設けられている立設片の複数対と、
該立設片の複数対のうち、ある対と隣接している対との間に形成されている前記隙間に挿入されており、一方の面に食パンを当接させる平板状の当板と
を具備し、
対をなす前記立設片は、同一の幅長さであり、
幅長さの異なる前記立設片の対が、複数種類設けられている
ことを特徴とする食パンスライス補助具。
【請求項２】
前記立設片は、
前記ベース板の中央へ向いている内面に設けられており、上端へ向かうほど反対の外面へ接近するように傾斜している食パンガイド部と、
前記側辺の延びる方向へ向いている二つの側面に夫々設けられており、上端へ向かうほど反対の該側面へ接近するように傾斜しているナイフガイド部と
を有していることを特徴とする請求項１に記載の食パンスライス補助具。
【請求項３】
前記ベース板を上方から覆うように複数対の前記立設片の上端に装着される蓋体を、更に具備していることを特徴とする請求項１又は請求項２に記載の食パンスライス補助具。
【考案の詳細な説明】
【技術分野】
【０００１】
本考案は、ブロック状の食パンを家庭等において複数種類の厚さにスライスするための食パンスライス補助具に関するものである。
【背景技術】
【０００２】
一斤や二斤といった単位のブロック状の食パンを、５枚切りや７枚切りのように予め一定の厚さにスライスしたものが販売されている。予めスライスされた食パンは、食事の際にナイフでスライスする必要がなく、便利である。しかしながら、予めスライスされていると、風味や品質の低下がはやくなる問題があった。また、予め同じ厚さにスライスされているため、厚切りや薄切りのように異なる厚さの食パンが欲しい時には、所望の厚さにスライスされた食パンを別途に購入する必要があった。
【０００３】
一方、スライスせずにブロック状のままの食パンも販売されており、食事の際に所望の厚さにスライスすることができると共に、風味や品質の低下を遅らせることができる。しかしながら、一般的な家庭では、ナイフを使用して食パンをスライスすることとなるが、食パンを所望の厚さに綺麗にスライスすることは困難であった。そこで、業務用の電動スライサーを使用することが考えられるが、電動スライサーは大型であり、家庭で使用するには不向きである。
【考案の概要】
【考案が解決しようとする課題】
【０００４】
そこで、本考案は、上記の実情に鑑み、家庭等においてブロック状の食パンを容易に複数種類の厚さにスライスすることが可能な食パンスライス補助具の提供を課題とするものである。
【課題を解決するための手段】
【０００５】
上記の課題を解決するために、本考案に係る食パンスライス補助具は、
「外形が四角形で食パンを載置するためのベース板と、
該ベース板の一対の側辺から夫々互いに対向して帯板状に上方へ延出していると共に、該側辺の延びる方向へナイフを挿入するための隙間をあけて設けられている立設片の複数対と、
該立設片の複数対のうち、ある対と隣接している対との間に形成されている前記隙間に挿入されており、一方の面に食パンを当接させる平板状の当板と
を具備し、
対をなす前記立設片は、同一の幅長さであり、
幅長さの異なる前記立設片の対が、複数種類設けられている」ものである。
【０００６】
複数の立設片は、ベース板の側辺の延びる方向へ隙間をあけて設けられている一つ一つが独立しているもの、ベース板の側辺の延びる方向へ隙間をあけて設けられている一つ一つがベース板の上面よりも下方の部位において互いに繋がっているもの（平板状の部材に隙間としてのスリットを形成したもの）、とすることができる。
【０００７】
本構成の食パンスライス補助具を使用して食パンをスライスする場合は、所望の厚さと対応している幅長さの立設片の対において、両側の隙間のうちの一方の隙間に当板を挿入する。次に、当板における当該立設片の対がある側において、食パンを上方から立設片の対の間に挿入してベース板に載置すると共に、食パンの端面を当板に当接させる。そして、当該立設片の対を間にして当板が挿入されている隙間とは反対側の隙間に、上方からナイフを挿入し、当該ナイフを、隙間を形成している両側の立設片により案内させながら食パンをスライス（切断）する。
【０００８】
また、本構成では、幅長さの異なる立設片の対が複数種類設けられているため、上記とは幅長さの異なる立設片の対を使用することで、食パンを上記とは異なる厚さにスライスすることができる。また、幅長さの異なる立設片の対の組み合わせにより、更に異なる厚さにスライスすることができる。
【０００９】
このように、本構成によれば、ブロック状の食パンを、ナイフを使用して容易に複数種類の厚さにスライスすることができる。また、食パンをスライスする際に、ナイフを隣接している二対の立設片により案内させることができるため、食パンを真直ぐ綺麗にスライスすることができる。また、食パンスライス補助具を、ブロック状の食パンが載置されるベース板と、ベース板の一対の側辺から上方へ延出している立設片の複数対と、隣接している立設片の対の間の隙間に挿入されている当板と、で構成しており、簡単な構造であるため、電動スライサーよりも小型にすることができ、一般的な家庭でも使用することができる。
【００１０】
本考案にかかる食パンスライス補助具は、上記の構成に加えて、
「前記立設片は、
前記ベース板の中央へ向いている内面に設けられており、上端へ向かうほど反対の外面へ接近するように傾斜している食パンガイド部と、
前記側辺の延びる方向へ向いている二つの側面に夫々設けられており、上端へ向かうほど反対の該側面へ接近するように傾斜しているナイフガイド部と
を有している」ものとすることができる。
【００１１】
これにより、複数対の立設片の対の間に食パンを上方から挿入する際に、各立設片の上端には食パンガイド部が設けられているため、食パンガイド部の傾斜により食パンをベース板の中央へ案内することができ、食パンを容易に挿入することができる。また、立設片の上端にはナイフガイド部が設けられているため、ナイフガイド部の傾斜によりナイフを隙間内へ案内することができ、隙間に対してナイフを容易に挿入することができる。
【００１２】
本考案にかかる食パンスライス補助具は、上記の構成に加えて、
「前記ベース板を上方から覆うように複数対の前記立設片の上端に装着される蓋体を、更に具備している」ものとすることができる。
【００１３】
蓋体は、格子状、網状、平板状、とすることができる。
【００１４】
本構成によれば、本構成の食パンスライス補助具を使用していない時に、上方から蓋体を装着しておくことで、物や手が複数の立設片に上方から当接するおそれを低減することができる。これにより、使用していない時に、物や手の当接により立設片が曲がったり折れたりすることを回避させることができ、食パンスライス補助具の破損を抑制することができる。
【考案の効果】
【００１５】
以上のように、本考案によれば、家庭等においてブロック状の食パンを容易に複数種類の厚さにスライスすることが可能な食パンスライス補助具を、提供することができる。
【図面の簡単な説明】
【００１６】
【図１】本考案の一実施形態である食パンスライス補助具の分解斜視図である。
【図２】図１の食パンスライス補助具の使用状態の平面図である。
【図３】図２とは異なる使用状態の平面図である。
【図４】（ａ）図１の食パンスライス補助具における補助具本体の上部のみを食パンと共に示す側面図であり、（ｂ）図１の食パンスライス補助具における補助具本体の上部のみをナイフと共に示す正面図である。
【図５】図１の食パンスライス補助具の保管状態の斜視図である。
【考案を実施するための形態】
【００１７】
以下、本考案の具体的な実施形態である食パンスライス補助具１について、図１乃至図５を用いて説明する。食パンスライス補助具１は、補助具本体１０と、当板２０と、蓋体３０と、俎板４０と、を備えている。
【００１８】
補助具本体１０は、外形が四角形のベース板１１と、ベース板１１の一対の長辺（側辺）から下方及び外方へ夫々突出している一対の脚部１２と、一対の脚部１２から上方へ夫々延出しベース板１１を間にして対となるように設けられている複数対の立設片１３と、を備えている。ベース板１１は、ブロック状の二斤の食パンＰ（図中において網掛けで示す）を載置可能な大きさである。本実施形態のベース板１１の大きさは、長辺の長さが２５５ｍｍ、短辺の長さが１２０ｍｍ、厚さが１４ｍｍ、である。
【００１９】
一対の脚部１２は、ベース板１１の長辺の延びる方向（以下では単に長手方向と称する）の全長よりも短い長さで、ベース板１１の長辺に沿って取付けられている。本実施形態では、脚部１２の長さが２４０ｍｍである。
【００２０】
複数の立設片１３は、夫々が一つずつ独立しており、上下に長い帯板状に形成されている。各立設片１３は、ベース板１１の側辺（長辺）に接している状態で、上方へ延出するように、下端が脚部１２に取付けられている。立設片１３は、ベース板１１の上面から上端までの高さが、俎板４０を介してベース板１１に載置されている食パンＰよりも上方へ延出する高さとされている。本実施形態では、立設片１３の高さが、ベース板１１の短辺の長さの約１．５倍である。
【００２１】
各立設片１３は、ベース板１１の中央へ向いている内面に設けられ上端へ向かうほど反対の外面へ接近するように傾斜している食パンガイド部１３ａと、長手方向へ向いている二つの側面に夫々設けられ上端へ向かうほど反対の側面へ接近するように傾斜しているナイフガイド部１３ｂと、を有している（図４等を参照）。
【００２２】
複数対の立設片１３は、ベース板１１の長手方向へナイフＫを挿入するための隙間Ｓをあけて、脚部１２の全長に亘って列設されている。本実施形態では、隙間Ｓが３．１ｍｍである。対をなす立設片１３は、ベース板１１の長手方向の幅長さが同じである。
【００２３】
複数対の立設片１３は、第一幅長さに形成されている第一立設片１４の対と、第一幅長さよりも広い第二幅長さに形成されている第二立設片１５の対と、第二幅長さよりも広い第三幅長さに形成されている第三立設片１６の対と、で構成されている。本実施形態では、図４（ｂ）に示すように、左から、一対の第二立設片１５、三対の第三立設片１６、十対の第一立設片１４、及び七対の第二立設片１５が、列設されている。本実施形態では、第一幅長さが６ｍｍ、第二幅長さが９ｍｍ、第三幅長さが１４ｍｍ、である。
【００２４】
当板２０は、ブロック状の食パンＰをスライスする時に、補助具本体１０において、立設片１３の複数対のうち、ある対と隣接している対との間に形成されている隙間Ｓに挿入し、一方の面に食パンＰを当接させて使用するためのものである。
【００２５】
当板２０は、長辺がベース板１１の短辺よりも長く、短辺が立設片１３の長さ（高さ）よりも短い、四角形で隙間Ｓに挿入可能な厚さの平板状である。本実施形態の当板２０の厚さは２ｍｍである。
【００２６】
蓋体３０は、食パンスライス補助具１を使用しない時に、補助具本体１０のベース板１１を上方から覆うように複数対の立設片１３の上端に装着して使用するためのものである。蓋体３０は、平行に設けられている一対の第一枠部材３１と、一対の第一枠部材３１の両端同士を夫々連結している一対の第二枠部材３２と、一対の第二枠部材３２の間において一対の第一枠部材３１同士を繋いでいる複数の格子部材３３と、を備えている。
【００２７】
蓋体３０は、一対の第一枠部材３１と一対の第二枠部材３２とで、補助具本体１０における複数対の立設片１３を囲む大きさの枠を形成しており、複数の格子部材３３が、各隙間Ｓの位置と対応するように長手方向へ間隔をあけて取付けられている。第一枠部材３１及び第二枠部材３２は帯板状であり、格子部材３３は直径が隙間Ｓよりわずかに短い丸棒状である。
【００２８】
この蓋体３０は、補助具本体１０に装着することで、一対の第一枠部材３１が、ベース板１１の一対の長辺から上方へ延出している複数対の立設片１３の上端付近の外方に位置していると共に、複数の格子部材３３が、複数対の立設片１３により形成されている複数の隙間Ｓに挿入されている（図５を参照）。
【００２９】
これにより、補助具本体１０に対して上方から物や手が当接するおそれを低減することができる。また、補助具本体１０又は蓋体３０に上方から物や手が当接したとしても、その力を第一枠部材３１や複数の格子部材３３、及び複数対の立設片１３等により分散させることができるため、一つの立設片１３に力が作用してしまうことを回避させることができ、立設片１３が曲がったり折れたりするおそれを低減することができる。更に、蓋体３０を装着することで、食パンガイド部１３ａ及びナイフガイド部１３ｂにより細くなっている立設片１３の上端に、手や指が触れ難いものとなるため、保管時における安全性を高めることができる。
【００３０】
俎板４０は、ブロック状の食パンＰをスライスする時に、補助具本体１０のベース板１１に載置して使用するものであり、食パンＰをスライスした時にナイフＫの刃先によってベース板１１上面に傷が付くことを防止するものである。
【００３１】
俎板４０は、長辺の長さがベース板１１の長辺と略同じで、短辺の長さがベース板１１の短辺よりも若干短い、四角形で厚さがベース板１１よりも薄い平板状に形成されている。本実施形態では、俎板４０の厚さが３ｍｍである。
【００３２】
本実施形態では、補助具本体１０及び蓋体３０が、ヒノキ、スギ、ヒバ、竹、のような木材により形成されており、透明なニスが塗装されている。また、本実施形態では、当板２０及び俎板４０が、ポリエチレン、ポリプロピレン、のような合成樹脂により形成されている。
【００３３】
上記構成の食パンスライス補助具１を使用してブロック状の食パンＰを、７枚切り相当の厚さにスライスする場合は、ベース板１１に俎板４０を載置した上で、例えば、図２に示すように、図中最も左方に位置している第二立設片１５の対と第三立設片１６の対との間の一組の対向している隙間Ｓに、当板２０を挿入する。
【００３４】
次に、ブロック状の食パンＰを、当板２０よりも右方において、複数の立設片１３の対の間に、上方から挿入して俎板４０に載置する。この際に、各立設片１３の上端には食パンガイド部１３ａが設けられているため、食パンガイド部１３ａの傾斜により食パンＰを俎板４０の中央へ案内することができ、複数の立設片１３の対の間に食パンＰを容易に挿入することができる（図４（ａ）を参照）。
【００３５】
食パンＰを俎板４０に載置したら、当該食パンＰの端面を当板２０に当接させる。そして、当板２０から右方へ一つ目に設けられている一組の隙間Ｓに、上方からナイフＫを挿入し、当該ナイフＫを、隙間Ｓを形成している両側の立設片１３により案内させながら食パンＰをスライス（切断）する。この際に、立設片１３の上端にはナイフガイド部１３ｂが設けられているため、ナイフガイド部１３ｂの傾斜によりナイフＫを隙間Ｓ内へ案内することができ、隙間Ｓに対してナイフＫを容易に挿入することができる（図４（ｂ）を参照）。
【００３６】
食パンＰを同じ厚さに連続してスライスする場合は、上記によりスライスしたパンを取り出さずにそのままにして、右方に設けられている次の一組の隙間Ｓに上方からナイフＫを挿入してスライスする。本実施形態では、第三幅長さの第三立設片１６の対が長手方向へ３対列設されているため、７枚切り相当の厚さのパンを連続して３枚スライスすることができる。更に、同じ厚さにスライスする場合は、スライスしたパンを補助具本体１０から取り出した上で、残りのブロック状の食パンＰを図中において左方へ移動させて、その端面を当板２０に当接させた状態とし、上記と同様にナイフＫを使用してスライスすることで、更に多くの７枚切り相当の厚さのパンを得ることができる。
【００３７】
一方、食パンＰを、１３枚切り相当の厚さに薄くスライスする場合は、例えば、図３に示すように、第三立設片１６の対と第一立設片１４の対との間の一組の隙間Ｓに当板２０を挿入した上で、ブロック状の食パンＰを当板２０に右方から当接させると共に、俎板４０に載置させた状態とする。この状態では、当板２０から右方へ１０対の第一立設片１４が列設されているため、夫々の間の隙間Ｓに対して、左から順番にナイフＫを上方から挿入してスライスする。これにより、１３枚切り相当の厚さのパンを連続して１０枚得ることができる。
【００３８】
また、食パンＰを、９枚切り相当の厚さにスライスする場合は、例えば、図２において、最も右方に位置している一組の隙間Ｓに当板２０を挿入した上で、ブロック状の食パンＰを当板２０に左方から当接させると共に、俎板４０に載置させた状態とする。この状態では、当板２０から左方へ６対の第二立設片１５が列設されているため、夫々の間の隙間Ｓに対して、右から順番にナイフＫを上方から挿入してスライスする。これにより、９枚切り相当の厚さのパンを連続して６枚得ることができる。
【００３９】
更に、食パンＰを上記とは異なる厚さにスライスする場合は、当板２０から長手方向へ複数対の立設片１３を超えるようにして所望の厚さとなる部位に形成されている一組の隙間Ｓに、ナイフＫを上方から挿入して食パンＰをスライスする。
【００４０】
このように、本実施形態の食パンスライス補助具１によれば、ブロック状の食パンＰを、ナイフＫを使用して容易に複数種類の厚さにスライスすることができる。また、食パンＰをスライスする際に、ナイフＫを隣接している二対の立設片１３により案内させることができるため、食パンＰを真直ぐ綺麗にスライスすることができる。また、食パンスライス補助具１を、俎板４０を介してブロック状の食パンＰが載置されるベース板１１と、ベース板１１の一対の長辺から上方へ延出している立設片１３の複数対と、隣接している立設片１３の対の間の隙間Ｓに挿入されている当板２０と、で構成しており、簡単な構造であるため、電動スライサーよりも小型にすることができ、一般的な家庭でも使用することができる。
【００４１】
また、互いに幅長さの異なる第一立設片１４、第二立設片１５、及び第三立設片１６を、適宜組合せて使用することにより、ブロック状の食パンＰを様々な厚さにスライスすることができる。
【００４２】
また、上記のように、家庭においてブロック状の食パンＰを容易にスライスすることができることから、食事の際に必要な分だけスライスすることができるため、予め所定の厚さにスライスされている食パンと比較して、残りの食パンＰの風味や品質の低下を遅らせることができる。
【００４３】
以上、本考案について好適な実施形態を挙げて説明したが、本考案は上記の実施形態に限定するものではなく、本考案の要旨を逸脱しない範囲において、種々の改良及び設計の変更が可能である。
【００４４】
例えば、上記では、ベース板１１の長辺の延びる方向へ隙間Ｓをあけて設けられている複数の立設片１３の一つ一つが独立しているものを例示したが、ベース板１１の長辺の延びる方向へ隙間Ｓをあけて設けられている複数の立設片１３の一つ一つがベース板１１の上面よりも下方の部位において互いに繋がっているもの（平板状の部材に隙間Ｓとしてのスリットを形成したもの）としても良い。
【００４５】
また、上記では、複数の立設片１３として、幅長さが異なる三種類の第一立設片１４、第二立設片１５、及び第三立設片１６で構成したものを例示したが、第三幅長さよりも広い第四幅長さ（例えば、２４ｍｍ〜２８ｍｍ）の第四立設片を更に加えた構成としても良い。これにより、７枚切り相当よりも厚い、４枚切り〜５枚切り相当の厚さにスライスすることができる。
【００４６】
また、上記では、補助具本体１０及び蓋体３０を、木材により形成したものを例示したが、合成樹脂により形成したものとしても良い。
【符号の説明】
【００４７】
１  食パンスライス補助具
１０  補助具本体
１１  ベース板
１２  脚部
１３  立設片
１３ａ  食パンガイド部
１３ｂ  ナイフガイド部
１４  第一立設片
１５  第二立設片
１６  第三立設片
２０  当板
３０  蓋体
３１  第一枠部材
３２  第二枠部材
３３  格子部材
４０  俎板
Ｐ  食パン
Ｋ  ナイフ
Ｓ  隙間
【図１】
0003223964.tif 000003
【図２】
0003223964.tif 000004
【図３】
0003223964.tif 000005
【図４】
0003223964.tif 000006
【図５】
0003223964.tif 000007